(57)【要約】【課題】操作性を向上することができる蓋ロック機構及びこれを備えた鍋を提供する。【解決手段】操作部の操作に基づいて蓋側ロック部３０がロック位置からロック解除位置に変位したときに、第１係合部５１が第１被係合部６２に係合することにより、蓋側ロック部３０をロック解除位置において係止させる。操作部を操作するだけでロック解除状態に維持することができるので、ロック解除状態に維持しておくための操作と鍋蓋４を開方向Ｄ３に回転させる操作とを同時に行う必要がなく、鍋蓋４を取り外す際の操作性を向上することができる。鍋蓋４を閉方向Ｄ２に回転させて鍋本体２に取り付けたときには、蓋側ロック部３０がロック解除位置からロック位置へと自動的に変位することにより、鍋蓋４を取り付ける際の操作性も向上することができる。【選択図】          図３
0003161838.tif 000002
【実用新案登録請求の範囲】
【請求項１】
容器の開口部を上方から覆う蓋を周方向に回転させて前記容器にロックするための蓋ロック機構であって、
前記容器に設けられた第１ハンドルと、
前記蓋に設けられ、当該蓋を周方向に回転させて前記容器にロックさせた状態で前記第１ハンドルに対向する第２ハンドルと、
前記第２ハンドルに設けられ、前記容器に対する前記蓋のロック状態を解除するために操作される操作部と、
前記第２ハンドルに設けられ、前記操作部の操作に基づいてロック位置からロック解除位置に変位する蓋側ロック部と、
前記第１ハンドルに設けられ、前記蓋側ロック部がロック位置にあるときには、当該蓋側ロック部に係合して前記蓋が周方向に回転するのを規制し、前記蓋側ロック部がロック解除位置にあるときには、当該蓋側ロック部に対する係合状態が解除され、前記蓋が周方向に回転するのを許容する容器側ロック部と、
前記第２ハンドルに設けられ、前記操作部の操作に基づいて前記蓋側ロック部がロック位置からロック解除位置に変位したときに、当該蓋側ロック部をロック解除位置において係止させるとともに、前記蓋を周方向に回転させて前記容器に取り付けたときに、前記蓋側ロック部をロック解除位置からロック位置へと変位させる係止機構とを備えたことを特徴とする蓋ロック機構。
【請求項２】
前記係止機構には、第１係合部及び第２係合部が備えられ、
前記第２ハンドルには、前記第１係合部に係合可能な第１被係合部と、前記第２係合部に係合可能な第２被係合部とが形成されており、
前記操作部の操作に基づいて前記蓋側ロック部がロック位置からロック解除位置に変位したときに、前記第１係合部が前記第１被係合部に係合して、当該蓋側ロック部をロック解除位置において係止させるとともに、この状態で前記蓋を周方向に回転させて前記容器から取り外す際に、前記第１被係合部に対する前記第１係合部の係合状態が解除されて、前記第２係合部が前記第２被係合部に係合し、
前記蓋を周方向に回転させて前記容器に取り付けたときに、前記第２被係合部に対する前記第２係合部の係合状態が解除されて、前記蓋側ロック部がロック解除位置からロック位置へと変位することを特徴とする請求項１に記載の蓋ロック機構。
【請求項３】
前記第１係合部は、第１付勢部材の付勢力によって前記第１被係合部に係合し、
前記第２係合部は、前記第１付勢部材よりも付勢力が大きい第２付勢部材の付勢力によって前記第２被係合部に係合するようになっており、
前記第１係合部が前記第１被係合部に係合した状態で前記蓋を周方向に回転させて前記容器から取り外す際には、前記第１付勢部材の付勢力に抗して、前記第２付勢部材の付勢力によって前記第１被係合部に対する前記第１係合部の係合状態が解除され、当該第２付勢部材の付勢力によって前記第２係合部が前記第２被係合部に係合することを特徴とする請求項２に記載の蓋ロック機構。
【請求項４】
前記第１ハンドルには、前記蓋を周方向に回転させて前記容器に取り付けたときに前記第２係合部に接触して、前記第２被係合部に対する前記第２係合部の係合状態を解除させるための接触部が形成されていることを特徴とする請求項２又は３に記載の蓋ロック機構。
【請求項５】
請求項１〜４のいずれかに記載の蓋ロック機構と、
前記容器としての鍋本体と、
前記蓋としての鍋蓋とを備えたことを特徴とする鍋。
【考案の詳細な説明】
【技術分野】
【０００１】
本考案は、容器の開口部を上方から覆う蓋を周方向に回転させて前記容器にロックするための蓋ロック機構及びこれを備えた鍋に関するものである。
【背景技術】
【０００２】
例えば圧力鍋などでは、容器（鍋本体）の開口部を上方から覆う蓋（鍋蓋）が、蓋ロック機構によって容器にロックされるようになっている。この種の圧力鍋の一例として、下記特許文献１には、容器側に設けられた鍋ハンドル７と、蓋側に設けられた蓋ハンドル８とを備え、蓋を周方向に回転させて鍋ハンドル７及び蓋ハンドル８を互いに対向させたときにロック状態となるような構成が開示されている。
【０００３】
この特許文献１に開示された構成では、鍋ハンドル７及び蓋ハンドル８が互いに対向した状態で、蓋ハンドル８に設けられた安全装置１３の制御末端部１７に対して、鍋ハンドル７に設けられた保持端３３が当り止めを形成することにより、ハンドル７，８の回転を防止してロック状態を維持することができるようになっている（段落［００６６］及び図３Ｃ参照）。
【０００４】
安全装置１３は、圧縮ばねにより、ロック状態となる位置（第１の停止位置）に向かって付勢されている（段落［００４６］参照）。ロック状態を解除する際には、制御ボタンを操作することにより、圧縮ばねの付勢力に抗して安全装置１３をロック解除状態となる位置（第２の停止位置）まで変位させた状態で、蓋ハンドル８を回転させてずらすことにより、ロック解除状態を維持することができるようになっている（段落［００７２］及び図２Ｃ参照）。
【先行技術文献】
【特許文献】
【０００５】
【特許文献１】特許第４００１６０３号公報
【考案の概要】
【考案が解決しようとする課題】
【０００６】
上記特許文献１に開示された構成では、制御ボタンの操作だけでワンタッチでロック解除状態とすることができないため、操作性が十分でないという問題がある。すなわち、ロック状態を解除する際には、圧縮ばねの付勢力に抗して安全装置１３を第２の停止位置で維持しておく操作と、その状態のまま蓋ハンドル８を回転させる操作とを同時に行わなければならず、ある程度の力が必要となる。そのため、ユーザが女性や老人である場合などには、操作性の問題が特に顕著となる。
【０００７】
本考案は、上記実情に鑑みてなされたものであり、操作性を向上することができる蓋ロック機構及びこれを備えた鍋を提供することを目的とする。    
【課題を解決するための手段】
【０００８】
本考案に係る蓋ロック機構は、容器の開口部を上方から覆う蓋を周方向に回転させて前記容器にロックするための蓋ロック機構であって、前記容器に設けられた第１ハンドルと、前記蓋に設けられ、当該蓋を周方向に回転させて前記容器にロックさせた状態で前記第１ハンドルに対向する第２ハンドルと、前記第２ハンドルに設けられ、前記容器に対する前記蓋のロック状態を解除するために操作される操作部と、前記第２ハンドルに設けられ、前記操作部の操作に基づいてロック位置からロック解除位置に変位する蓋側ロック部と、前記第１ハンドルに設けられ、前記蓋側ロック部がロック位置にあるときには、当該蓋側ロック部に係合して前記蓋が周方向に回転するのを規制し、前記蓋側ロック部がロック解除位置にあるときには、当該蓋側ロック部に対する係合状態が解除され、前記蓋が周方向に回転するのを許容する容器側ロック部と、前記第２ハンドルに設けられ、前記操作部の操作に基づいて前記蓋側ロック部がロック位置からロック解除位置に変位したときに、当該蓋側ロック部をロック解除位置において係止させるとともに、前記蓋を周方向に回転させて前記容器に取り付けたときに、前記蓋側ロック部をロック解除位置からロック位置へと変位させる係止機構とを備えたことを特徴とする。
【０００９】
このような構成によれば、操作部の操作に基づいて蓋側ロック部がロック位置からロック解除位置に変位したときに、蓋側ロック部をロック解除位置において係止させることができるので、この状態で蓋を周方向に回転させることにより蓋を容易に取り外すことができる。すなわち、操作部を操作するだけでロック解除状態に維持することができるので、ロック解除状態に維持しておくための操作と蓋を周方向に回転させる操作とを同時に行う必要がなく、蓋を取り外す際の操作性を向上することができる。
【００１０】
また、蓋を周方向に回転させて容器に取り付けたときには、蓋側ロック部がロック解除位置からロック位置へと自動的に変位するため、蓋を取り付ける際の操作性も向上することができる。
【００１１】
前記係止機構には、第１係合部及び第２係合部が備えられ、前記第２ハンドルには、前記第１係合部に係合可能な第１被係合部と、前記第２係合部に係合可能な第２被係合部とが形成されており、前記操作部の操作に基づいて前記蓋側ロック部がロック位置からロック解除位置に変位したときに、前記第１係合部が前記第１被係合部に係合して、当該蓋側ロック部をロック解除位置において係止させるとともに、この状態で前記蓋を周方向に回転させて前記容器から取り外す際に、前記第１被係合部に対する前記第１係合部の係合状態が解除されて、前記第２係合部が前記第２被係合部に係合し、前記蓋を周方向に回転させて前記容器に取り付けたときに、前記第２被係合部に対する前記第２係合部の係合状態が解除されて、前記蓋側ロック部がロック解除位置からロック位置へと変位することが好ましい。
【００１２】
このような構成によれば、操作部を操作して第１係合部を第１被係合部に係合させることにより、ロック解除状態に維持することができる。この状態で蓋を周方向に回転させて容器から取り外すことにより、第１被係合部に対する第１係合部の係合状態が解除されて、第２係合部が第２被係合部に係合することとなるが、この蓋を周方向に回転させて容器に取り付けたときには、第２被係合部に対する第２係合部の係合状態が解除されてロック状態となる。このように、本発明によれば、第１係合部及び第２係合部などを用いた簡単な機構により、操作性を向上することができる。
【００１３】
前記第１係合部は、第１付勢部材の付勢力によって前記第１被係合部に係合し、前記第２係合部は、前記第１付勢部材よりも付勢力が大きい第２付勢部材の付勢力によって前記第２被係合部に係合するようになっており、前記第１係合部が前記第１被係合部に係合した状態で前記蓋を周方向に回転させて前記容器から取り外す際には、前記第１付勢部材の付勢力に抗して、前記第２付勢部材の付勢力によって前記第１被係合部に対する前記第１係合部の係合状態が解除され、当該第２付勢部材の付勢力によって前記第２係合部が前記第２被係合部に係合することが好ましい。
【００１４】
このような構成によれば、第１被係合部に対する第１係合部の係合状態を解除して、第２係合部を第２被係合部に係合させるための機構を、第１付勢部材及び第２付勢部材の付勢力の大小関係を利用することにより、さらに簡単な機構とすることができる。
【００１５】
前記第１ハンドルには、前記蓋を周方向に回転させて前記容器に取り付けたときに前記第２係合部に接触して、前記第２被係合部に対する前記第２係合部の係合状態を解除させるための接触部が形成されていることが好ましい。
【００１６】
このような構成によれば、蓋を周方向に回転させて容器に取り付けたときに、第１ハンドルに形成された接触部を第２係合部に接触させるといった簡単な機構で、第２被係合部に対する第２係合部の係合状態を解除させることができる。
【００１７】
本考案に係る鍋は、前記蓋ロック機構と、前記容器としての鍋本体と、前記蓋としての鍋蓋とを備えたことを特徴とする。
【００１８】
このような構成によれば、本考案に係る蓋ロック機構と同様の上記効果を奏する鍋を提供することができる。
【図面の簡単な説明】
【００１９】
【図１】本考案の一実施形態に係る鍋の一例を示す平面図であり、鍋本体の構成のみを示している。
【図２】鍋の要部の構成を示す縦断面図である。
【図３】鍋の要部の構成を示す平面図であり、第１ハンドル及び第２ハンドルの近傍の構成を上方から透視した図を示している。
【図４】鍋の要部の構成を示す平面図であり、第１ハンドル及び第２ハンドルの近傍の構成を上方から透視した図を示している。
【図５】鍋の要部の構成を示す平面図であり、第１ハンドル及び第２ハンドルの近傍の構成を上方から透視した図を示している。
【考案を実施するための形態】
【００２０】
図１は、本考案の一実施形態に係る鍋１の一例を示す平面図であり、鍋本体２の構成のみを示している。図２は、鍋１の要部の構成を示す縦断面図である。
【００２１】
図１及び図２に示すように、この鍋１は、容器としての鍋本体２と、この鍋本体２の開口部３を上方から覆う鍋蓋４とを備えている。本実施形態における鍋１は、例えば圧力鍋であって、鍋蓋４の周縁部に設けられたパッキン（図示せず）を介して鍋本体２の開口部３が鍋蓋４により密閉された状態で、鍋本体２を加熱することにより、当該鍋本体２の内部の圧力を上昇させることができる。
【００２２】
鍋蓋４は、鍋本体２の開口部３の上方に被せられた状態で、周方向に沿って閉方向Ｄ２に回転されることにより、蓋ロック機構５によって鍋本体２にロックされるようになっている。当該蓋ロック機構５には、鍋本体２に設けられた第１ハンドル１１と、鍋蓋４に設けられた第２ハンドル１２とが備えられており、ユーザは、第２ハンドル１２を把持して鍋蓋４を鍋本体２の開口部３の上方に被せた後、当該第２ハンドル１２を閉方向Ｄ２に回転させることにより、鍋蓋４を鍋本体２にロックさせることができる。第１ハンドル１１及び第２ハンドル１２は対応する形状を有しており、図２に示すように、鍋蓋４を鍋本体２にロックさせた状態では、上下方向に対向して互いに重なり合うようになっている。
【００２３】
本実施形態では、鍋本体２の第１ハンドル１１に設けられた容器側ロック部２０と、鍋蓋４の第２ハンドル１２に設けられた蓋側ロック部３０とが互いに係合することにより、鍋蓋４が鍋本体２に対してロックされる。この例では、容器側ロック部２０が凹部からなり、蓋側ロック部３０が当該凹部内に挿入される凸部からなる構成が示されているが、このような構成に限らず、容器側ロック部２０が凸部、蓋側ロック部３０が凹部からなる構成であってもよいし、いずれも凸部からなる構成などであってもよい。
【００２４】
図１に示すように、容器側ロック部２０には、鍋本体２側とは反対側の端面２１から、半径方向Ｄ１に沿って鍋本体２側に延びるロック面２２が形成されている。図２に示すように蓋側ロック部３０が容器側ロック部２０の端面２１に対して半径方向Ｄ１に対向する状態では、蓋側ロック部３０は、容器側ロック部２０のロック面２２に対して周方向に対向している。この状態では、蓋側ロック部３０はロック位置にあり、周方向に沿って閉方向Ｄ２とは逆方向である開方向Ｄ３に鍋蓋４を回転させようとしても、容器側ロック部２０のロック面２２が蓋側ロック部３０に係合することにより、鍋蓋４が開方向Ｄ３に回転するのを規制する。
【００２５】
鍋蓋４には、互いに重なり合う第１ハンドル１１及び第２ハンドル１２をユーザが把持した状態で親指等で操作可能な操作部４０が設けられており、当該操作部４０を操作することにより、鍋本体２に対する鍋蓋４のロック状態を解除することができるようになっている。当該操作部４０は、半径方向Ｄ１に沿ってスライド可能に設けられている。蓋側ロック部３０は、操作部４０に連結されており、操作部４０の操作に伴って半径方向Ｄ１に沿って変位するようになっている。
【００２６】
図２に示すロック位置において操作部４０を半径方向Ｄ１に沿って操作することにより、蓋側ロック部３０が容器側ロック部２０のロック面２２に対向しないロック解除位置まで変位した場合には、蓋側ロック部３０に対する係合状態が解除されることにより、鍋蓋４が開方向Ｄ３に回転するのを許容する。操作部４０は、付勢部材の一例である圧縮ばね４１によって、半径方向Ｄ１における鍋本体２側とは反対側に向かって付勢されており、操作部４０をロック位置からロック解除位置に変位させる際には、当該圧縮ばね４１の付勢力に抗して操作部４０が半径方向Ｄ１に沿って鍋本体２側に操作される。
【００２７】
本実施形態における蓋ロック機構５には、上記圧縮ばね４１の付勢力に抗して蓋側ロック部３０を係止するための係止機構５０が備えられており、操作部４０の操作に基づいて蓋側ロック部３０がロック位置からロック解除位置に変位したときに、当該蓋側ロック部３０をロック解除位置において係止させることができるようになっている。係止機構５０には、第１係合部５１及び第２係合部５２が備えられ、これらを保持する保持部材５３が蓋側ロック部３０及び操作部４０に連結されることにより、当該操作部４０の操作に基づいて第１係合部５１及び第２係合部５２が半径方向Ｄ１に変位するようになっている。
【００２８】
図３〜図５は、鍋１の要部の構成を示す平面図であり、第１ハンドル１１及び第２ハンドル１２の近傍の構成を上方から透視した図を示している。図３は蓋側ロック部３０がロック位置にある状態、図４は蓋側ロック部３０がロック解除位置にある状態、図５は
図４の状態から鍋蓋４を開方向Ｄ３に若干回転させた状態をそれぞれ示している。なお、図３〜図５では、圧縮ばね４１を省略して示している。
【００２９】
第１係合部５１及び第２係合部５２は、半径方向Ｄ１に沿って並べて設けられており、鍋蓋４の第２ハンドル１２の裏面（第１ハンドル１１側の面）には、これらの第１係合部５１及び第２係合部５２を保持部材５３とともに半径方向Ｄ１に沿ってスライド可能に収容するための収容溝６０が形成されている。当該収容溝６０は、半径方向Ｄ１に沿って延びており、その側面の一部から閉方向Ｄ２に沿って延びる円弧状の受入溝６１が形成されている。
【００３０】
鍋本体２の第１ハンドル１１の上面には、上記受入溝６１に対応する位置に円弧状に突出する接触部７０が形成されており（図１参照）、鍋蓋４を閉方向Ｄ２に回転させて鍋本体２に取り付けたときには、図３に示すように当該接触部７０が受入溝６１内に入り込むようになっている。この図３の状態では、接触部７０の一端面７１が収容溝６０の側面に対応する位置にあり、当該側面の一部を形成している。
【００３１】
第１係合部５１は、付勢部材の一例である圧縮ばね５４（第１付勢部材）によって開方向Ｄ３に付勢されている。収容溝６０における受入溝６１が形成されている面とは反対側の面には、第１係合部５１に係合可能な凹部からなる第１被係合部６２が形成されている。図３の状態から操作部４０が半径方向Ｄ１に操作されることにより、図４のように蓋側ロック部３０がロック位置からロック解除位置に変位したときには、圧縮ばね５４の付勢力によって第１係合部５１が第１被係合部６２に入り込んで係合することにより、蓋側ロック部３０がロック解除状態において係止されるようになっている。
【００３２】
このとき、第１係合部５１が第２係合部５２に対して相対的に開方向Ｄ３に変位することにより、第１係合部５１に設けられた突起５５と、第２係合部５２に設けられた突起５６とが、互いに当接した状態となる。また、第２係合部５２は、第１係合部５１とともに半径方向Ｄ１に沿って変位し、受入溝６１に対向する位置において、収容溝６０の側面の一部を形成している接触部７０の一端面７１に当接した状態となる。
【００３３】
第２係合部５２は、付勢部材の一例である圧縮ばね５７（第２付勢部材）によって閉方向Ｄ２に付勢されている。この圧縮ばね５７の付勢力は、第１係合部５１を付勢する圧縮ばね５４の付勢力よりも大きくなるように設定されている。したがって、図４の状態から鍋蓋４を開方向Ｄ３に若干回転させ、図５のように受入溝６１内における接触部７０の一端面７１の位置が閉方向Ｄ２に変位した場合には、圧縮ばね５４よりも大きい圧縮ばね５７の付勢力によって、突起５５，５６を介して互いに係合している第１係合部５１及び第２係合部５２が閉方向Ｄ２に変位し、受入溝６１の側面によって形成される第２被係合部６３に第２係合部５２が係合するようになっている。
【００３４】
すなわち、本実施形態では、第１係合部５１が第１被係合部６２に係合した図４の状態で、鍋蓋４を開方向Ｄ３に回転させて鍋本体２から取り外す際には、圧縮ばね５４の付勢力に抗して、圧縮ばね５７の付勢力によって第１被係合部６２に対する第１係合部５１の係合状態が解除され、当該圧縮ばね５７の付勢力によって第２係合部５２が第２被係合部６３に係合するようになっている。
【００３５】
図５の状態から鍋蓋４をさらに開方向Ｄ３に回転させて、鍋蓋４を鍋本体２から取り外した場合には、第２係合部５２が第２被係合部６３に係合した図５の状態が維持される。したがって、その後に鍋蓋４を鍋本体２の開口部３に被せて閉方向Ｄ２に回転させることにより、鍋本体２に取り付けたときには、受入溝６１内に入り込んだ接触部７０の一端面７１が第２係合部５２に接触し、当該第２係合部５２を開方向Ｄ３に押圧することにより、第２被係合部６３に対する第２係合部５２の係合状態が解除される。これにより、蓋側ロック部３０が、圧縮ばね４１の付勢力によって、図５のロック解除位置から図３のロック位置へと変位するようになっている。
【００３６】
本実施形態では、操作部４０の操作に基づいて蓋側ロック部３０がロック位置からロック解除位置に変位したときに、蓋側ロック部３０をロック解除位置において係止させることができるので、この状態で鍋蓋４を開方向Ｄ３に回転させることにより鍋蓋４を容易に取り外すことができる。すなわち、操作部４０を操作するだけでロック解除状態に維持することができるので、ロック解除状態に維持しておくための操作と鍋蓋４を開方向Ｄ３に回転させる操作とを同時に行う必要がなく、鍋蓋４を取り外す際の操作性を向上することができる。
【００３７】
また、鍋蓋４を閉方向Ｄ２に回転させて鍋本体２に取り付けたときには、蓋側ロック部３０がロック解除位置からロック位置へと自動的に変位するため、鍋蓋４を取り付ける際の操作性も向上することができる。
【００３８】
本実施形態では、操作部４０を操作して第１係合部５１を第１被係合部６２に係合させることにより、ロック解除状態に維持することができる。この状態で鍋蓋４を開方向Ｄ３に回転させて鍋本体２から取り外すことにより、第１被係合部６２に対する第１係合部５１の係合状態が解除されて、第２係合部５２が第２被係合部６３に係合することとなるが、この鍋蓋４を閉方向Ｄ２に回転させて鍋本体２に取り付けたときには、第２被係合部６３に対する第２係合部５２の係合状態が解除されてロック状態となる。このように、本実施形態によれば、第１係合部５１及び第２係合部５２などを用いた簡単な機構により、操作性を向上することができる。
【００３９】
また、本実施形態では、圧縮ばね５４の付勢力に抗して、当該圧縮ばね５４よりも付勢力が大きい圧縮ばね５７の付勢力によって第１被係合部６２に対する第１係合部５１の係合状態が解除され、当該圧縮ばね５７の付勢力によって第２係合部５２が第２被係合部６３に係合するようになっている。これにより、第１被係合部６２に対する第１係合部５１の係合状態を解除して、第２係合部５２を第２被係合部６３に係合させるための機構を、圧縮ばね５４（第１付勢部材）及び圧縮ばね５７（第２付勢部材）の付勢力の大小関係を利用することにより、さらに簡単な機構とすることができる。
【００４０】
さらに、本実施形態では、鍋蓋４を閉方向Ｄ２に回転させて鍋本体２に取り付けたときに、第１ハンドル１１に形成された接触部７０を第２係合部５２に接触させるといった簡単な機構で、第２被係合部６３に対する第２係合部５２の係合状態を解除させることができる。
【００４１】
以上の実施形態では、第１係合部５１を付勢する第１付勢部材、及び、第２係合部５２を付勢する第２付勢部材が、それぞれ圧縮ばね５４，５７である場合について説明したが、これに限らず、引張ばねなどの他のばねや、ゴムなどの弾性部材といった他の付勢部材からなるものであってもよい。
【００４２】
また、第１被係合部６２及び第２被係合部６３がいずれも凹部からなる場合について説明したが、このような構成に限らず、これらの少なくとも一方が凸部からなるような構成であってもよい。
【００４３】
また、本考案に係る蓋ロック機構は、圧力鍋に限らず、他の鍋にも適用可能であるとともに、鍋以外の他の容器に蓋をロックする機構としても適用可能である。
【符号の説明】
【００４４】
１    鍋
２    鍋本体
３    開口部
４    鍋蓋
５    蓋ロック機構
１１    第１ハンドル
１２    第２ハンドル
２０    容器側ロック部
３０    蓋側ロック部
４０    操作部
５０    係止機構
５１    第１係合部
５２    第２係合部
６２    第１被係合部
６３    第２被係合部
７０    接触部
【図１】
0003161838.tif 000003
【図２】
0003161838.tif 000004
【図３】
0003161838.tif 000005
【図４】
0003161838.tif 000006
【図５】
0003161838.tif 000007